(57)【要約】【課題】従来のフェンスで置き基礎の上に施工した場合、基礎の面とフェンスパネル本体の面に段差が出来、基礎がフェンスパネル本体より外に突出してしまう為、危険性があった。また、対向する置き基礎間に隙間が生じていた為に、フェンスパネルを切って置き基礎の高さの部分の隙間を塞ぐ施工を別に設ける必要が生じていた。【解決手段】フェンスパネル取り付け部分の柱フェンス支持柱４と置き基礎に埋設する基礎支持柱２を別々に設けて、その両方の柱を腕金具３によって連結させ置き基礎１のサイズに応じて柱を迂回させることにより、置き基礎の面の位置にフェンスパネルを取り付けることが出来るようにした。また置き基礎間の高さ寸法の隙間部分を塞ごうとするときも前記において実施例図１で示すようにフェンス取り付け用柱のフェンス支持柱４を、置き基礎の天端より下に延長して、地面に近接または接着させることにより図２で示すようにフェンスそのものを基礎の側面部分の位置にも張ることを容易にした。【選択図】　　図１
2004084446.tif 000002
【特許請求の範囲】
【請求項１】
フェンスパネルが、取り付けられる部分のフェンス取り付け用柱と、置き基礎に埋設される基礎支持柱とを別々に設けて前記フェンス取り付け用柱と基礎支持柱を相互に連結する腕金具とからなるフェンス施工用柱の構造体。
【請求項２】
請求項１において、腕金具の長さを基礎幅寸法に対応させ、フェンス取り付け用柱を、置き基礎の天端より下に延長して、地面に近接または接着させたフェンス施工用柱の構造体。
【請求項３】
フェンスパネルが、取り付けられる部分のフェンス取り付け用柱の奥行き寸法を置き基礎の幅寸法に対応させて、置き基礎に埋設される基礎支持柱に連結させた、フェンス施工用柱の構造体。
【発明の詳細な説明】
【０００１】
【発明の属する技術分野】
本発明は、置き基礎に使う、フェンスの柱の構造体に関する物である。
【０００２】
【従来の技術】
従来のフェンスの柱はフェンスパネル取り付け部分と基礎に埋設される部分とが一体でありフェンスパネル本体と柱が隣り合わせで一体となっていた。
【０００３】
【発明が解決しようとする課題】
そのために、従来のフェンスで置き基礎の上に施工した場合、図６で示すように、置き基礎の面とフェンスパネル本体の面に段差が出来、置き基礎がフェンスパネル本体より外に突出してしまう為、車や人の交通上フェンスパネルの方に気が取られて、基礎に人や車が当たる危険性があった。
そこで、本発明は、フェンスパネル本体を置き基礎の面か基礎の前面で固定させることが目的である。
【０００４】
また、図７で示すように、対向する置き基礎間に隙間が生じていた為に、この隙間から子供や、動物などが侵入する恐れがあり、この部分を塞ぐために図８で示すように、フェンスパネルを切って置き基礎間の隙間の部分に取り付ける施工を別に設ける必要が有り施工が煩雑であった為、隙間を容易に塞ぐことを目的とする。
【０００５】、
【課題を解決するための手段】
以上の課題を解決するために、本発明のフェンス柱の構造体は、フェンスパネルが、取り付けられる部分のフェンス取り付け用柱と、置き基礎に埋設される基礎支持柱とを別々に設けて、基礎の奥行き寸法に対応させた腕金具に連結させ、前記フェンス取り付け柱と基礎支持柱とを迂回させることにより、外から見て置き基礎より手前か置き基礎の面の位置にフェンスパネルが取り付けられることが出来るようにする。
【０００６】
請求項２の発明は、請求項１において、腕金具の長さを基礎幅寸法に対応させフェンス取り付け用柱を、置き基礎の天端より下に延長して、フェンスパネルが置き基礎の天端の下まで取り付けることを可能にする。
【０００７】
請求項３の発明は、フェンスパネルが取り付けられる部分のフェンス取り付け用柱４１の、奥行き寸法を置き基礎の幅寸法に対応させておき、置き基礎に埋設される基礎支持柱に連結させることにより、フェンスパネルを置き基礎の面の位置の付近で固定できるようにしたものである。
【０００８】
尚、上記項目の連結においては、溶接や、ボルトによる連結などどちらでもよく、強固な連結であれば他の連結方法を用いてもよい。
【０００９】
【発明の実施の形態】
発明の実施の形態を実施例にもとづき図面を参照して説明する。
図４において、フェンスパネル５１を取り付けるフェンス取り付け柱４２と、置き基礎に埋設する部分の基礎支持柱２１を別々に設けて、その両方の柱を基礎の幅サイズに対応させた長さの腕金具３１で連結させることにより、フェンス取り付け柱４２を、置き基礎の面まで迂回させて、フェンスパネル５１を取り付ける。
【００１０】
上記において、図１の実施例では、腕金具３の長さをさらに長くして、フェンス取り付け用柱４を置き基礎１の天端より、下に延長させて地面に近接させることにより、フェンスパネル５を置き基礎の天端より下に取り付けることが出来る。
【００１１】
以上のフェンス柱の構造体を利用することにより、図５で示すようなパイプ柵やまた、車止めバリカーなどもこの方法で取り付けることが出来る。
【００１２】
図３に示される実施例では、フェンスパネルの取り付け部分の柱４１の奥行きサイズを置き基礎の奥行き寸法のサイズに対応させて、基礎に埋まる部分の基礎支持柱２を連結させてフェンスパネル５１を取り付ける。
【００１３】
以上の連結方法は、フェンス取り付け用柱と腕金具、あるいは基礎支持柱と腕金具、あるいは、フェンス取り付け用柱と腕金具と基礎支持柱が一体の物となっていても問題はない。
連結方法は、溶接やボルト締めなど強固であれば、他の方法を用いてもかまわない。
また柱を、連結させる組み立てにおいては、最初から一体として工場より出荷しても、現場にて柱を連結させる組み立てでもどちらでもよい。
【００１４】
以上の実施においては、主に置き基礎を用いて施工する場合であるが、他の基礎においても、擁壁やブロック基礎などでも基礎天端が地面の面より上部にあるときなど施工は可能である。
【００１５】
【発明の効果】
このようにすれば、図３、図４で示すようにフェンスパネルを置き基礎の面や、図１で示すように置き基礎の前の位置へ持ってくることが出来る為来るため、従来のような、基礎の突起部分は無くす事が出来る為、安全性の向上につながる。
【００１６】
また置き基礎間の高さ寸法の隙間部分を塞ごうとするときも実施例図１で示すようにフェンス取り付け用のフェンス支持柱を、置き基礎の天端より下に延長して、地面に近接または接着させることにより図２で示すようにフェンスそのものを基礎の側面部分の位置にも張ることが容易にでき、従来の実施例図８で示すように、フェンスパネルを切って置き基礎間の隙間の部分に取り付ける施工を別に設ける必要も無くなるため施工費も安くすむ。
【００１７】
また前記において、フェンス支持柱を地面に接着させることにより、フェンスと地面の設置面積が増えるため、安定性が増して転倒しにくくなる。
【００１８】
【図面の簡単な説明】
【図１】フェンス施工用柱の構造体の実施例を示す側面図である。
【図２】フェンス施工用柱の構造体の実施例を示す側面図である。
【図３】フェンス施工用柱の構造体の実施例を示す正面図である。
【図４】フェンス施工用柱の構造体の実施例を示す側面図である。
【図５】フェンス施工用柱の構造体にパイプ柵を取り付けた実施例を示す側面図である。
【図６】従来の実施形態を示す側面図である。
【図７】従来の実施形態を示す正面図である。
【図８】従来の実施形態を示す正面図である。
【符号の説明】
１　置き基礎
２、２１，２３基礎支持柱
３、３１，３２腕金具
４、４１，４２，フェンス取り付け柱
４３　パイプ取り付け柱
５、５１、フェンスパネル本体
６　フェンス柱
７　パイプ
８　ブラケット
１０　地面境界線
【図１】
2004084446.tif 000003
【図２】
2004084446.tif 000004
【図３】
2004084446.tif 000005
【図４】
2004084446.tif 000006
【図５】
2004084446.tif 000007
【図６】
2004084446.tif 000008
【図７】
2004084446.tif 000009
【図８】
2004084446.tif 000010